(57)【特許請求の範囲】
【請求項１】
包装体（１４）を載置可能な載置板部（１５）と、上方に向うにつれて外側方に傾斜して前記載置板部（１５）の側縁部に連設される第１囲枠部（１６）と、前記載置板（１５）の下方にフォークリフトのフォークを差し込むことを可能とした配置で前記載置板部（１５）の複数箇所に設けられる脚部（１７）とを有し、前記第１囲枠部（１６）に複数の第１係合孔（２０）が設けられるとともに段積みすることが可能であるパレット（１１）と；該パレット（１１）上に載置された包装体（１４）の上面に接触可能な天井板部（２４）と、下方に向うにつれて外側方に傾斜して天井板部（２４）の側縁部に連設される第２囲枠部（２５）と、前記パレット（１１）が備える複数の脚部（１７）を位置決め支持することを可能として前記天井板部（２４）の上面に設けられる複数の脚支持部（２６）とを有し、前記パレット（１１）上に載置された包装体（１４）の上面を覆うことを可能とするとともに上下を反転した状態では前記パレット（１１）上に段積みすることを可能として構成され、前記第２囲枠部（２５）に複数の第２係合孔（２９）が設けられるキャップ（１２）と；前記第１および第２係合孔（２０，２９）に係合する複数のフック（３３）を備え、前記包装体（１４）を相互間に挟んだ前記パレット（１１）および前記キャップ（１２）を結束する結束ベルト（１３）と；から成り、前記第２囲枠部（２５）には先端部に係合凹部（３１）および係合突部（３２）が複数ずつ設けられ、これら係合凹部（３１）および係合突部（３２）は、天井板部（２４）と平行な平面内で相互に１８０度転回させた状態に在る一対のキャップ（１２）をそれらのキャップ（１２）の第２囲枠部（２５）の先端を相互に接触させつつ対向させたときに前記係合突部（３２）が前記係合凹部（３１）に係合する位置に配置されており、返送時には、複数のパレット（１１）を段積みした上に上下を反転させて段積み状態にあるキャップ（１２）のうち、最上位のキャップ（１２）の上方に上下を反転させないキャップ（１２）を載せて間に結束ベルト（１３）の収納空間（３６）を形成できるようにするとともに、該上下を反転させないキャップ（１２）と最下位のパレット（１１）との間に結束ベルト（１３）のフック（３３）を係合させて、これら段積み状態にあるパレット（１１）とキャップ（１２）を結束できるようにしたことを特徴とする梱包ユニット。
【請求項２】
前記天井板部（２４）の上面には上方に突出した突部（３０）が設けられることを特徴とする請求項１記載の梱包ユニット。
【発明の詳細な説明】
【０００１】
【発明の属する技術分野】
本発明は、機械部品等を収納した段ボール箱等の包装体を梱包して輸送するための梱包ユニットに関し、特に、輸送後の返送を可能とした梱包ユニットに関する。
【０００２】
【従来の技術】
包装体を梱包して輸送するにあたって、包装体をラッピングフィルムで巻き上げて固定するようにした手法が従来から広く用いられている。
【０００３】
【発明が解決しようとする課題】
ところが、上記従来のラッピングフィルムを用いるものでは、輸送完了後にラッピングフィルムを再度使用することが困難であり、ラッピングフィルムを廃却しなければならず、環境保全の観点から問題がある。
【０００４】
本発明は、かかる事情に鑑みてなされたものであり、包装体の輸送完了後も使用可能であり、しかも返送時に必要なスペースを極力小さくすべくコンパクトに結束し得るようにした梱包ユニットを提供することを目的とする。
【０００５】
【課題を解決するための手段】
上記目的を達成するために、請求項１記載の発明に従う梱包ユニットは、包装体を載置可能な載置板部と、上方に向うにつれて外側方に傾斜して前記載置板部の側縁部に連設される第１囲枠部と、前記載置板の下方にフォークリフトのフォークを差し込むことを可能とした配置で前記載置板部の複数箇所に設けられる脚部とを有し、前記第１囲枠部に複数の第１係合孔が設けられるパレットと；該パレット上に載置された包装体の上面に接触可能な天井板部と、下方に向うにつれて外側方に傾斜して天井板部の側縁部に連設される第２囲枠部と、前記パレットが備える複数の脚部を位置決め支持することを可能として前記天井板部の上面に設けられる複数の脚支持部とを有し、前記パレット上に載置された包装体の上面を覆うことを可能とするとともに上下を反転した状態では前記パレットの載置板部上に段積みすることを可能として構成され、前記第２囲枠部に複数の第２係合孔が設けられるキャップと；前記第１および第２係合孔に係合する複数のフックを備え、前記包装体を相互間に挟んだ前記パレットおよび前記キャップを結束する結束ベルトと；から成り、前記第２囲枠部には先端部に係合凹部および係合突部が複数ずつ設けられ、これら係合凹部および係合突部は、天井板部と平行な平面内で相互に１８０度転回させた状態に在る一対のキャップをそれらのキャップの第２囲枠部の先端を相互に接触させつつ対向させたときに前記係合突部が前記係合凹部に係合する位置に配置されており、返送時には、複数のパレットを段積みした上に上下を反転させて段積み状態にあるキャップのうち、最上位のキャップの上方に上下を反転させないキャップを載せて間に結束ベルトの収納空間を形成できるようにするとともに、該上下を反転させないキャップと最下位のパレットとの間に結束ベルトのフックを係合させて、これら段積み状態にあるパレットとキャップを結束できるようにしたことを特徴とする。
【０００６】
このような請求項１記載の発明の構成によれば、パレットの第１係合孔と、該パレット上に積載した包装体を覆うキャップの第２係合孔とに結束ベルトのフックを係合させることにより、パレットおよびキャップ間に包装体を挟むようにして該包装体を梱包することが可能であり、また脚支持部で脚部を位置決め支持するようにしてキャップの上面にパレットを位置決め載置することが可能であり、パレットおよびキャップ間に包装体を挟んで成る複数の梱包組立体を順次積み重ねて載置することが可能である。包装体の輸送完了後には、複数のパレットを段積みした上に、上下を反転させた複数のキャップを順次段積みすることが可能であり、最下方のパレットおよび最上方のキャップを結束ベルトで結束することにより、少なくとも複数のパレットおよびキャップを段積みしてコンパクトに纏めることができ、返送時に輸送手段で必要とされるスペースを極力小さくすることができる。しかも、前記第２囲枠部の先端部に係合凹部および係合突部が設けられ、係合凹部および係合突部は、天井板部と平行な平面内で相互に１８０度転回させた状態に在る一対のキャップをそれらのキャップの第２囲枠部の先端を相互に接触させつつ対向させたときに前記係合突部が前記係合凹部に係合する位置に配置されるので、上下を反転させてパレット上に複数のキャップを段積みするとともにその段積み状態にある複数のキャップのうち最上位のキャップの上方に、上下を反転させずに１８０度転回させたキャップを載せることにより、前記最上位のキャップとその上方のキャップとをそれらのキャップ間に結束ベルトを収納させる収納空間を形成するようにして相互に位置決めすることができ、複数のパレット、複数のキャップおよび複数の結束ベルトをよりコンパクトに結束することができ、返送時に輸送手段で必要とされるスペースをさらに小さくすることができる。
【０００７】
また請求項２記載の発明によれば、上記請求項１記載の発明の構成に加えて、前記天井板部の上面には上方に突出した突部が設けられることにより、上下を反転させたキャップをパレット上に段積みしたときにキャップがパレットに嵌合、密着して取り外しが困難となることを避けることができ、また相互に段積みした状態にあるキャップ同士が嵌合、密着して取り外しが困難となることを避けることができる。
【０００８】
【発明の実施の形態】
以下、本発明の実施の形態を、添付図面に示した本発明の一実施例に基づいて説明する。
【０００９】
図１ないし図９は本発明の一実施例を示すものであり、図１は包装体を梱包ユニットで梱包したときの側面図、図２はパレットおよびキャップの斜視図、図３は図１の３−３線に沿う拡大断面図、図４は図２の４−４線拡大断面図、図５は図２の５−５線拡大断面図、図６はコンテナへの積込み状態をコンテナの後方側から見た図、図７はパレットおよびキャップを段積みした状態を示す側面図、図８はパレットおよびキャップを段積みした状態を示す縦断面図、図９は段積み状態にあるキャップの最上方の部分を示す拡大断面図である。
【００１０】
先ず図１において、本発明に従う梱包ユニットは、パレット１１、キャップ１２および複数の結束ベルト１３…から成るものであり、機械部品等を収納せしめた段ボール箱等の包装体１４の複数がパレット１１上に載置され、該パレット１１上に載置されている複数の包装体１４…の上方を覆うキャップ１２とパレット１１とが複数の結束ベルト１３…で結束されることにより、前記複数の包装体１４…が梱包されることになる。
【００１１】
図２および図３において、パレット１１は、包装体１４を載置可能な正方形状または長方形状の載置板部１５と、上方に向うにつれて外側方に傾斜して前記載置板部１５の側縁部に連設される第１囲枠部１６と、前記載置板部１５の複数箇所に設けられる脚部１７…とを備える。
【００１２】
各脚部１７…は、載置板部１５の下方にフォークリフトのフォークを差し込むことを可能とした配置で載置板部１５に設けられるものであり、たとえば載置板部１５の中央部と、載置板部１５の４つの隅角部とにそれぞれ設けられる。
【００１３】
載置板部１５には、該載置板部１５の中央部の脚部１７ならびに載置板部１５の各隅角部の脚部１７…をそれぞれ結ぶ４つの連結板部分１５ａ…を相互間に形成するようにして４つの開口部１８…が設けられるとともに、各脚部１７…に対応した凹部１９…が設けられており、開口部１８…および凹部１９…によりパレット１１の重量が軽減される。
【００１４】
第１囲枠部１６は、上方に向うにつれて外側方に傾斜するように形成されるものであり、第１囲枠部１６の複数箇所には第１係合孔２０…が設けられる。
【００１５】
このようなパレット１１は、第１囲枠部１６が上方に向うにつれて外側方に傾斜していることにより、順次段積みすることが可能であるが、段積み状態で上方のパレット１１の脚部１７…が、下方のパレット１１の凹部１９…に密着、嵌合して取り外しが困難となることを避けるために、載置板部１５における各連結板部分１５ａ…の下面には、図４で示すように突条２１…が突設されており、それらの突条２１…が下方のパレット１１における各連結板部分１５ａ…の上面に当接することにより、脚部１７…が凹部１９…に密着、嵌合してしまうことが回避される。
【００１６】
キャップ１２は、前記パレット１１上に載置された包装体１４の上面に接触可能として正方形または長方形状に形成される天井板部２４と、天井板部２４の側縁部に連設される第２囲枠部２５と、前記天井板部２４の上面に設けられる複数の脚支持部２６…とを備える。
【００１７】
脚支持部２６…は、パレット１１が備える複数の脚部１７…のうち４つの隅角部に在る脚部１７…を位置決め支持すべく、天井板部２４の上面の４つの隅角部に設けられるものであり、横断面形状が四角形状である脚部１７…の２つの側面に係合するようにして略Ｌ字状に形成される。
【００１８】
天井板部２４には、該天井板部２４の中央部と、天井板部２４の各隅角部をそれぞれ結ぶ４つの連結板部分２４ａ…を相互間に形成するようにして４つの開口部２７…が設けられるとともに、各脚支持部２６…に対応した凹部２８…が設けられており、開口部２７…および凹部２８…によりキャップ１２の重量が軽減される。
【００１９】
第２囲枠部２５は、下方に向うにつれて外側方に傾斜するように形成されるものであり、第２囲枠部２５の複数箇所には第２係合孔２９…が設けられる。
【００２０】
このようなキャップ１２は、第２囲枠部２５が下方に向うにつれて外側方に傾斜していることにより、上下を反転した状態で順次段積みすることが可能であるが、段積み状態で上方のキャップ１２の脚支持部２６…が、下方のキャップ１２の凹部２８…に密着、嵌合して取り外しが困難となることを避けるために、天井板部２４における各連結板部分２４ａ…の上面には、図５で示すように突部３０…が一条ずつ突設されており、それらの突部３０…が下方のキャップ１２における各連結板部分２４ａ…に当接することにより、脚支持部２６…が凹部２８…に密着、嵌合してしまうことが回避される。
【００２１】
第２囲枠部２５の先端部には、複数の係合凹部３１…と、複数の係合突部３２…とが設けられる。これらの係合凹部３１…および係合突部３２…は、一対のキャップ１２，１２を天井板部２４と平行な平面内で相互に１８０度転回させて第２囲枠部２５，２５の先端を相互に接触させたときに、各係合突部３２…が各係合凹部３１…に係合するように配置されて第２囲枠部２５の先端部に設けられる。
【００２２】
結束ベルト１３は、少なくともその両端にフック３３，３３を備えるものであり、それらのフック３３，３３を第１係合孔２０および第２係合孔２９に係合せしめることにより、パレット１１およびキャップ１２が結束される。また前記両端のフック３３，３３に加えて、結束ベルト１３の中間部に１または複数のフック３３が設けられていてもよく、そのような結束ベルト１３によってもパレット１１およびキャップ１２を結束することができる。
【００２３】
ところで、結束ベルト１３としては、強固な結束状態が必要であるときには布製であればよく、自由度の比較的高い結束状態が必要であるときにはゴム等の弾性材料から成るものであればよく、さらに軽度の結束状態であってもよい場合にはビニール紐等を用いることができる。
【００２４】
このような梱包ユニットにより包装体１４を梱包する際には、図１で示したように、パレット１１上に積載した１または複数の包装体１４上にキャップ１２を載せた状態で、パレット１１の第１係合孔２０と、キャップ１２の第２係合孔２９とにフック３３，３３をそれぞれ係合せしめるようにしてパレット１１およびキャップ１２を結束ベルト１３で結束することにより、パレット１１およびキャップ１２間に包装体１４を挟むようにして該包装体１４を梱包することが可能であり、パレット１１の下方にフォークリフトのフォークを差し込むことにより、パレット１１およびキャップ１２間に包装体１４を挟んで成る梱包組立体３４を搬送することが可能である。
【００２５】
またキャップ１２が備える４つの脚支持部２６…でパレット１１の脚部１７…を位置決め支持することが可能であるので、キャップ１２の上面にパレット１１を位置決め載置することができる。このため、図６で示すように、たとえばコンテナ３５内に、複数の梱包組立体３４…を積み重ねて載置するようにして収納することができ、多数の包装体１４…を輸送するためにコンテナ３５等の輸送手段で必要とされるスペースを極力小さくすることができる。
【００２６】
包装体１４の輸送完了後には、図７および図８で示すように、複数のパレット１１…を段積みした上に、上下を反転させた複数のキャップ１２…を順次段積みすることが可能であり、さらに上下を反転させて段積み状態にあるキャップ１２…のうち最上位のキャップ１２の上方に、上下を反転させないキャップ１２を載せ、最下方のパレット１１および最上方のキャップ１２を結束ベルト１３で結束することにより、複数のパレット１１…およびキャップ１２…を段積みしてコンパクトに纏めることができ、返送時に輸送手段で必要とされるスペースを極力小さくすることができる。
【００２７】
ところで、上下を反転させた複数のキャップ１２…のうち最上位のキャップ１２と上下を反転させずに載せられる最上方のキャップ１２との間には、収納空間３６が形成されるものであり、この収納空間３６には、使用しない結束ベルト１３を収納可能である。したがって、複数のパレット１１、複数のキャップ１２および複数の結束ベルト１３をよりコンパクトに纏めることができ、返送時に輸送手段で必要とされるスペースをさらに小さくすることができる。
【００２８】
しかも上下を反転させた複数のキャップ１２…のうち最上位のキャップ１２に対して、上下を反転させないキャップ１２は天井板部２４と平行な平面で１８０度転回させた姿勢とされており、図９で示すように、係合凹部３１…に係合突部３２…がそれぞれ係合するので、相互間に収納空間３６を形成する上下一対のキャップ１２，１２が相互に位置決めされており、結束ベルト１３による複数のパレット１１…および複数のキャップ１２…の段積み状態での結束が確実に維持される。
【００２９】
以上、本発明の実施例を詳述したが、本発明は上記実施例に限定されるものではなく、特許請求の範囲に記載された本発明を逸脱することなく種々の設計変更を行なうことが可能である。
【００３０】
たとえばキャップ１２における天井板部２４の各脚支持部２６…に対応する位置に凹部２８…が設けられていなくてもよく、その場合、天井板部２４の上面に設けられる突部３０…が省略されてもよい。
【００３１】
【発明の効果】
以上のように請求項１記載の発明によれば、パレットの第１係合孔と、該パレット上に積載した包装体を覆うキャップの第２係合孔とに結束ベルトのフックを係合させることにより、パレットおよびキャップ間に包装体を挟むようにして該包装体を梱包することができ、また脚支持部で脚部を位置決め支持するようにしてキャップの上面にパレットを位置決め載置してパレットおよびキャップ間に包装体を挟んで成る複数の梱包組立体を順次積み重ねて載置することが可能である。さらに包装体の輸送完了後には、複数のパレットを段積みした上に上下を反転させた複数のキャップを順次段積みすることができ、最下方のパレットおよび最上方のキャップを結束ベルトで結束するようにして少なくとも複数のパレットおよびキャップを段積みしてコンパクトに纏めることができ、返送時に輸送手段で必要とされるスペースを極力小さくすることができる。しかも、上下を反転させてパレット上に複数のキャップを段積みするとともにその段積み状態にある複数のキャップのうち最上位のキャップの上方に、上下を反転させずに１８０度転回させたキャップを載せることにより、前記最上位のキャップとその上方のキャップとをそれらのキャップ間に結束ベルトを収納させる収納空間を形成するようにして相互に位置決めすることができ、複数のパレット、複数のキャップおよび複数の結束ベルトをよりコンパクトにかつ確実に結束することができ、返送時に輸送手段で必要とされるスペースをさらに小さくすることができる。
【００３２】
また請求項２記載の発明によれば、上下を反転させたキャップをパレット上に段積みしたときにキャップがパレットに嵌合、密着して取り外しが困難となることを避けることができ、また相互に段積みした状態にあるキャップ同士が嵌合、密着して取り外しが困難となることを避けることができる。
【図面の簡単な説明】
【図１】  包装体を梱包ユニットで梱包したときの側面図である。
【図２】  パレットおよびキャップの斜視図である。
【図３】  図１の３−３線に沿う拡大断面図である。
【図４】  図２の４−４線拡大断面図である。
【図５】  図２の５−５線拡大断面図である。
【図６】  コンテナへの積込み状態をコンテナの後方側から見た図である。
【図７】  パレットおよびキャップを段積みした状態を示す側面図である。
【図８】  パレットおよびキャップを段積みした状態を示す縦断面図である。
【図９】  段積み状態にあるキャップの最上方の部分を示す拡大断面図である。
【符号の説明】
１１・・・パレット
１２・・・キャップ
１３・・・結束ベルト
１４・・・包装体
１５・・・載置板部
１６・・・第１囲枠部
１７・・・脚部
２０・・・第１係合孔
２４・・・２４
２５・・・第２囲枠部
２６・・・脚支持部
２９・・・第２係合孔
３０・・・突部
３１・・・係合凹部
３２・・・係合突部
３３・・・フック
【図１】
0004025388.tif 000002
【図２】
0004025388.tif 000003
【図３】
0004025388.tif 000004
【図４】
0004025388.tif 000005
【図５】
0004025388.tif 000006
【図６】
0004025388.tif 000007
【図７】
0004025388.tif 000008
【図８】
0004025388.tif 000009
【図９】
0004025388.tif 000010